(57)【要約】【課題】開扉状態ではシャッターカーテンの下降動作が機械的にロックされ、閉鎖状態でロック解除されるようにしたシャッターカーテンと袖扉並設構造のシャッター装置を提供する。【解決手段】昇降自在とされたシャッターカーテン２の一側部に袖扉７を備え、かつ袖扉７の開閉端にシャッターカーテン２の一側部を昇降ガイドするガイド溝７ａを縦設し、袖扉７が完全閉鎖することにより、シャッターカーテン２がガイド溝７ａに沿って下降することを可能としたシャッター装置１において、袖扉７が開放若しくは半開放されている状態でシャッターカーテン２の下降を機械的にロックするロック手段と、袖扉７が閉鎖された時点でロック手段のロックを解除して、シャッターカーテン２の一側部がガイド溝７ａに沿って下降することを許容するロック解除手段を設けた。【選択図】      図３
2010133169.tif 000002
【特許請求の範囲】
【請求項１】
昇降自在とされたシャッターカーテンの一側部に前後方向に開閉自在とされた袖扉を備え、かつ袖扉の開閉端にシャッターカーテンの一側部を昇降ガイドするガイド溝を縦設し、前記袖扉が完全閉鎖することにより、シャッターカーテンの一側部が前記ガイド溝に沿って下降することを可能としたシャッター装置において、
前記袖扉が開放若しくは半開放されている状態でシャッターカーテンの下降を機械的にロックするロック手段と、前記袖扉が閉鎖された時点で前記ロック手段のロックを解除して、シャッターカーテンの一側部が前記ガイド溝に沿って下降することを許容するロック解除手段を設けたことを特徴とするシャッター装置。
【請求項２】
前記ロック手段および前記ロック解除手段は、袖扉閉鎖状態で前記袖扉の上部に配置される上枠に設けられ、かつ袖扉の閉止状態で前記ガイド溝に一致するガイド溝を形成したシャッターカーテンガイドと、シャッターカーテンガイドのガイド溝を横切って回動可能に取り付けられるロック板と、一端にロック板の他端側を支える支持ピンを備えるとともに、シャッターカーテンガイドに揺動可能に取り付けられた作動板と、袖扉の開閉端に突設され、かつ袖扉の閉止時作動板のシャッターカーテンガイドからの突出他端に当接することにより、作動板を回動させて支持ピンをロック板から離間させるロック解除板を備え、支持ピンがロック板から離間された状態において、ロック板がシャッターカーテンガイドのガイド溝の側方に移動するとともに、シャッターカーテンの一側部が前記シャッターカーテンガイドのガイド溝及び袖扉開閉端の前記ガイド溝に沿って下降することを許容することを特徴とする請求項１に記載のシャッター装置。
【請求項３】
前記作動板は、ベルクランク状をなし、その上端側となる一端側に前記ロック板の他端側を下方から支持する前記支持ピンを備えるとともに、その下端側となる他端側が前記シャッターカーテンガイドから突出し、前記袖扉の閉止時、袖扉に設けた前記ロック解除板が作動板の突出他端を押動させることにより作動板を回動させて、支持ピンをロック板から離間させるようにしたことを特徴とする請求項２に記載のシャッター装置。
【請求項４】
前記ロック手段および前記ロック解除手段は、袖扉閉鎖状態で前記袖扉の上部に配置される上枠の外側部に固定されたケースと、一端をケース内に旋回可能に取り付けられ、かつ他端がケースの側方に突出した支持杆と、一端を支持杆に連結し、かつ他端を上枠の下方に突出する作動ピンと、一端をケースに、他端を支持杆に連結されたバネ手段とを備え、
前記支持杆は、ケースから突出する他端側が前記シャッターカーテンの下端に設けた座板の下面に向けて延設され、袖扉の開放状態では、該他端側の突出部でシャッターカーテンの座板を支持することによりシャッターカーテンの下降を規制するとともに、袖扉の閉鎖により、バネ手段によるバネ圧に抗して袖扉の外側面が作動ピンを押圧することにより、支持杆の他端側が座板から掛け外されるようにし、支持杆の他端側が座板から掛け外された袖扉の閉鎖状態において、シャッターカーテンの一側部が袖扉開閉端の前記ガイド溝に沿って下降することを許容することを特徴とする請求項１記載のシャッター装置。
【請求項５】
前記シャッターカーテンの下端に設けた座板には安全装置が設けられ、座板が前記支持杆他端側の突出部に当接された状態では、シャッターカーテンの下降を停止若しくは上昇作動させるようにしたことを特徴とする請求項４記載のシャッター装置。
【請求項６】
前記シャッターカーテンの上端側を巻取る巻取駆動機構は、シャッターカーテン巻き上げ時に使用可能な駆動部および巻き上げたシャッターカーテンを巻き上げ位置に保持するためのブレーキを備えた開閉機と、開閉機のブレーキに連繋したブレーキレバーに離接可能に突出する作動部を突出させた自動閉鎖装置とを備えており、前記ロック手段および前記ロック解除手段は、袖扉閉鎖状態で前記袖扉の上部に配置される上枠内の戸当り箇所に設けられ、かつバネ手段のバネ圧により常時袖扉側に突出付勢された作動ピンと、作動ピンの上部にあって上枠の上部に突出する作動杆と、作動杆に一端を接続され、他端を自動閉鎖装置の動作端に接続した連結体とを備え、
前記袖扉が開放している状態から閉鎖すると、バネ手段によるバネ圧に抗して作動ピンを没入させ、作動杆の没入移動により連結体が移動する結果、自動閉鎖装置内の動作端であるトリガーが外れ、作動部が飛び出す結果、ブレーキを解くことにより、シャッターカーテンを自重により降下させ、シャッターカーテンの一側部が袖扉開閉端の前記ガイド溝に沿って下降することを許容するようにしたことを特徴とする請求項１記載のシャッター装置。
【発明の詳細な説明】
【技術分野】
【０００１】
本発明は、例えば、防煙シャッターとして用いられ、昇降自在とされたシャッターカーテンの一側部に前後方向に開閉自在とされた袖扉を備えた袖扉付きのシャッター装置に関し、特に袖扉が完全閉鎖されていない状態では、シャッターカーテンの下降を阻止するようにしたシャッター装置に関する。
【背景技術】
【０００２】
シャッターカーテンの一側部に設けた袖扉の開閉端にガイド溝を形成したシャッター装置にあっては、シャッターカーテン開放状態からシャッターカーテンを閉鎖するには、袖扉が閉鎖状態にあることが条件であり、シャッターカーテンの一側部を閉鎖状態の袖扉に形成したガイド溝に沿って下降させることが必要である。
【０００３】
このため、従来では特許文献１に示すように、袖扉の検出用リミットスイッチなどの電気的な検出手段を設け、この検出手段の検出により、巻取機構のブレーキを解除するものが知られている。
【０００４】
また、特許文献２に示すように、閉鎖確認後、所定の時間経過後にシャッターカーテンの閉鎖開始動作を行うものもある。
【特許文献１】特開２００６−２００３４３号公報
【特許文献２】特開２００１−２２０９７３号公報
【発明の開示】
【発明が解決しようとする課題】
【０００５】
いずれの検出および連動機構においても、袖扉閉鎖とシャッターカーテン閉鎖との連動制御に電気的な信号伝達を伴い、そのためのバッテリや、商用電源などの待機電力を消費するため、不経済であり、バッテリアップ、あるいは火災時などにおいて発生しやすい停電時などにおいては、袖扉とシャッターカーテンとの連動システムが無力化するおそれがあった。
【０００６】
本発明は、上記課題を解決するものであり、その目的とするところは、電気的な検出手段を伴うことなく、開扉状態ではシャッターカーテンの下降動作が機械的にロックされ、扉閉鎖状態でロック解除されるようにすることによって、消費電力の無駄や、例えば、火災時の電源断によるシステムの無力化を防止できるようにしたシャッター装置を提供するものである。
【課題を解決するための手段】
【０００７】
次に前記目的を達成するための手段を図を参照して説明すると、本発明は、昇降自在とされたシャッターカーテン２の一側部に袖扉７を備え、かつ袖扉７の開閉端にシャッターカーテン２の一側部を昇降ガイドするガイド溝７ａを縦設し、前記袖扉７が完全閉鎖することにより、シャッターカーテン２が前記ガイド溝７ａに沿って下降することを可能としたシャッター装置１において、前記袖扉７が開放若しくは半開放されている状態でシャッターカーテン２の下降を機械的にロックするロック手段と、前記袖扉７が閉鎖された時点で前記ロック手段のロックを解除して、シャッターカーテン２の一側部が前記ガイド溝７ａに沿って下降することを許容するロック解除手段を設けたことを特徴としている。
【０００８】
上記本発明に係るシャッター装置は、防煙シャッターの他、通常の建造物開口や通路の開閉用シャッター装置としても用いることができる。また、そのシャッターカーテン２は、スラットカーテンの他、シートシャッター、パネルシャッター、或いは、パイプシャッターとすることができる。また、ガイド溝７ａは、袖扉７の内側枠に一体に形成しても、該内側枠に断面略コ字状のガイドレールを一体に設けて形成しても良い。
なお、本発明においては、シャッターカーテン及び袖扉両方が閉鎖して所定の開口部を閉鎖するものであるが、シャッターカーテン、袖扉それぞれについて閉鎖状態、開放状態とは、それぞれが閉鎖する開口部における部分を閉鎖・開放している状態を示し、換言すれば、閉鎖する開口部における部分で空間を仕切っている・仕切っていない状態を示す。
【０００９】
また、請求項２に示す本発明では、特に図２，３の第１実施形態に示すように、前記ロック手段および前記ロック解除手段は、扉閉鎖状態で前記袖扉７の上部に配置される上枠１１に設けられ、かつ袖扉７の閉止状態で前記ガイド溝７ａに一致するガイド溝１３を形成したシャッターカーテンガイド１２と、シャッターカーテンガイド１２のガイド溝１３を横切って回動可能に取り付けられるロック板１５と、一端１７ａにロック板１５の他端側を支える支持ピン１８を備えるとともに、シャッターカーテンガイド１２に揺動可能に取り付けられた作動板１７と、前記袖扉７の開閉端に突設され、かつ袖扉の閉止時作動板１７のシャッターカーテンガイド１２からの突出他端１７ｂに当接することにより、作動板１７を回動させて支持ピン１８をロック板１５から離間させるロック解除板２１を備え、支持ピン１８がロック板１５から離間された状態において、ロック板１５がシャッターカーテンガイド１２のガイド溝１３の側方に移動するとともに、シャッターカーテン２の一側部が前記シャッターカーテンガイド１２のガイド溝１３及び袖扉７開閉端の前記ガイド溝７ａに沿って下降することを許容するものであることを特徴としている。
【００１０】
請求項３に示す上記本発明では、前記作動板１７は、ベルクランク状をなし、その上端側となる一端１７ａ側に前記ロック板１５の他端側を下方から支持する前記支持ピン１８を備えるとともに、その下端側となる他端１７ｂ側が前記シャッターカーテンガイド１２から突出し、前記袖扉７の閉止時、袖扉７に設けた前記ロック解除板２１が作動板１７の突出他端１７ｂを押動させることにより作動板１７を回動させて、支持ピン１８をロック板１５から離間させるようにしたことを特徴とする。
【００１１】
さらに、請求項４に示す本発明では、特に図４，５の第２実施形態に示すように、前記ロック手段および前記ロック解除手段は、袖扉閉鎖状態で前記袖扉７の上部に配置される上枠１１の外側部に固定されたケース３２と、一端３４ａをケース３２内に旋回可能に取り付けられ、かつ他端３４ｂがケース３２の側方に突出した支持杆３４と、一端を支持杆３４に連結し、かつ他端を上枠１１の下方に突出する作動ピン３７と、一端をケース３２に、他端を支持杆３４に連結されたバネ手段３９とを備え、
前記支持杆３４は、ケース３２からの突出する他端３４ｂ側がシャッターカーテン２の下端に設けた座板２ａの下面に向けて延設され、袖扉７の開放状態では、該他端３４ｂ側の突出部で座板２ａを支持することにより、シャッターカーテン２の下降を規制するとともに、袖扉７の閉鎖により、バネ手段３９によるバネ圧に抗して袖扉７の外側面が作動ピン３７を押圧して、支持杆３４の他端３４ｂが座板２ａから掛け外された袖扉７の閉鎖状態において、シャッターカーテン２の一側部が袖扉７開閉端の前記ガイド溝７ａに沿って下降することを許容するようにしたことを特徴としている。
【００１２】
請求項５に示す上記本発明では、前記シャッターカーテン２の下端に設けた座板２ａには安全装置が設けられ、座板２ａが前記支持杆３４他端３４ｂ側の突出部に当接された状態では、シャッターカーテン２の下降を停止若しくは上昇作動させるようにしたことを特徴としている。
【００１３】
またさらに、請求項６に示す本発明では、特に図６の第３実施形態に示すように、前記シャッターカーテンの上端側を巻取る巻取駆動機構５は、シャッターカーテン巻き上げ時に使用可能な駆動部および巻き上げたシャッターカーテンを巻き上げ位置に保持するためのブレーキを備えた開閉機４０と、開閉機のブレーキに連繋したブレーキレバー４１に離接可能に突出する作動部４２を突出させた自動閉鎖装置４３とを備えており、前記ロック手段および前記ロック解除手段は、袖扉閉鎖状態で前記袖扉７の上部に配置される上枠１１内の戸当り箇所に配置され、かつバネ手段４４のバネ圧により常時袖扉７側に突出付勢された作動ピン４５と、作動ピン４５の上部にあって上枠１１の上部に突出する作動杆４６と、作動杆４６に一端を接続され、他端を自動閉鎖装置４３の動作端に接続した連結体４７とを備え、前記袖扉７が開放している状態から閉鎖すると、バネ手段４４によるバネ圧に抗して作動ピン４５を没入させ、作動杆４６の没入移動により連結体４７が移動する結果、自動閉鎖装置内の動作端であるトリガーが外れ、作動部が飛び出す結果、ブレーキを解くことにより、シャッターカーテン２を自重により降下させ、シャッターカーテン２の一側部が袖扉開閉端の前記ガイド溝７ａに沿って下降することを許容するようにしたことを特徴とする。
上記ブレーキとしては、負作動型（スプリングクローズ型）のブレーキを有効に用いることができる。
なお、駆動手段の駆動方式は、手動機構によるものでも電動モータによるものでもよく、その他のエンジンによるものでもよい。
【発明の効果】
【００１４】
従って、本発明によれば、シャッターカーテン下降のロックおよびその解除を機械的手段により行い、電気的手段が介在されないため、消費電力の無駄や、火災時など、停電による電源断によるシステムの無力化を防止でき、防煙シャッターとして最適の効果が期待できる。また、防煙シャッター以外の袖扉を有するシャッター装置にも適応できる。
【００１５】
請求項２及び３の発明によれば、構造が簡単で、実施化が容易である。
【００１６】
請求項４及び５の発明も前記と同様に、構造が簡単で後付も容易であり、防煙シャッターなどに適応して、安全性が向上する。
【００１７】
請求項６の発明によれば、駆動機構に設けたブレーキを掛け外すことにより、シャッターカーテンの下降動作を行わせるため、下降動作を確実に行うことができる。
【発明を実施するための最良の形態】
【００１８】
図１は、本発明を適用したシャッター装置の全体構成を示している。実施例のシャッター装置は、シャッター装置１を構成する昇降自在のシャッターカーテン２と前後方向に開閉移動する袖扉７とが並設され、火災時などに、煙感知器や熱感知器により自動的に、或いは、手動により建物開口や通路を閉鎖する防煙シャッターを構成している。
【００１９】
図において、シャッター装置１は、建物の壁面に形成された開口や通路を昇降可能に閉塞し、かつ下部に座板２ａを一体化したシャッターカーテン２と、開口上部に横設されて、シャッターカーテン２の巻取り中心となり、巻取状態に格納するシャフト３と、シャフト３の両端に設けた１対の支軸４を軸受けするとともに、一方の支軸４（図の右側に示す）に連繋してシャフトを正逆回転駆動するシャッターカーテン巻取用駆動機構５と、開口の一側壁に縦設されてシャッターカーテン２の一側部を昇降ガイドする固定のガイドレール６と、を有している。さらに、ガイドレール６のシャッターカーテン２を挟む反対側位置にあって、閉鎖状態でシャッターカーテン２と同一面に位置し、開扉状態で内側側壁に位置すべく開閉可能に設けられ、かつ閉鎖状態でその開閉端に縦方向に沿ってシャッターカーテン２の他側部を昇降可能にガイドする後述のガイド溝７ａを形成した袖扉７と、袖扉７内に開閉可能に設けた子扉８と、袖扉７の近傍において、壁面に取り付けられた閉鎖指示スイッチ９とを備えている。この閉鎖指示スイッチ９は、中継器１０を介して前記駆動機構５に連繋している。
【００２０】
以上において、シャッターカーテン２が全開し、袖扉７が閉鎖位置に位置している場合には、閉鎖指示スイッチ９を操作、あるいは建物各部に設けた煙感知器、火災検知などの検知動作により、駆動機構５に設けた負作動型（スプリングローズ型）のブレーキのクラッチが掛け外され、袖扉７が閉扉したタイミングでシャッターカーテン２はその自重により両側部が、固定のガイドレール６と袖扉７に設けたガイド溝７ａに沿って下降し、図示のごとくシャッターカーテン２は閉じられる。
【００２１】
これに対し、袖扉７が開扉している状態では、駆動機構５のブレーキのクラッチが掛け外されているにも係わらず、シャッターカーテン２の下降動作は停止状態にロックされる。袖扉７が閉扉するとそのタイミングでシャッターカーテン２の下降動作が開始される。このような、シャッターカーテンの下降動作のタイミングの制御は、本発明では、従来の袖扉７の位置の電気的判定と、その連動によるものではなく、機械的連動によってのみ、同一の動作を行うものである。
【００２２】
図２（ａ），（ｂ），図３（ａ），（ｂ）は、その第１実施形態を示している。図において、閉鎖位置における袖扉７の上部にはこれに沿って上枠１１（図２参照）が横設され、上枠１１の先端上部には上下開口した縦長矩形状のシャッターカーテンガイド１２が一体に立設されている。シャッターカーテンガイド１２には、シャッターカーテン２の端部を昇降ガイドするものであり、その前部が上下方向に開口し、かつ上部が拡開したあり溝状のガイド溝１３が形成されている。
【００２３】
シャッターカーテンガイド１２の前面（建物開口の内側面）において、ガイド溝１３を挟む一方の面（図の右側に示す）には支点ピン１４を中心に回動可能なリンク板状のロック板１５が設けられている。また、ガイド溝１３を挟む他方の面（図の左側に示す）の内側には、支点ピン１６を介してベルクランク状をした連動板１７が回動可能に設けられている。連動板１６の上端部となる一端１７ａにはロック板１５を下支えする支持ピン１８が設けられ、この支持ピン１８はシャッターカーテンガイド１２の前面に貫通形成された円弧状スリット１９を通じて他方の面に突出し、また下端部となる他端１７ｄは、シャッターカーテンガイド１１の側壁に形成された縦長スリット２０（図３（ａ）参照）を通じて側面外方に向けて出没可能に突出している。
【００２４】
袖扉７の開閉端面には、閉鎖状態で前記シャッターカーテンガイド１２のガイド溝１３の下部に一致する前述するガイド溝７ａが縦長方向に沿って形成されている。また、袖扉７の開閉端の背面側上部には、閉鎖状態で縦長スリット２０に対向するロック解除板２１が固定されている。尚、ガイド溝７ａは、袖扉７の内側枠に一体に形成しても良いし、袖扉７の内側枠にコ形ガイドレールを固定して形成しても良い。
【００２５】
以上の構成において、図２（ａ），図３（ａ）に示すように、袖扉７が開扉し、袖扉７の開閉端がシャッターカーテンガイド１２から離間している状態で、作動板１７の支持ピン１８がロック板１５の支持位置に位置させるべくセットしておくことにより、ロック板１５は、シャッターカーテン２の下降移動の経路上に干渉して妨げるように、シャッターカーテンガイド１２のガイド溝１３を横切る形に配置され、駆動機構５のクラッチが掛け外されてシャッターカーテン２が自重により下降動作を始めようとしても、その下端がロック板１５に当接する結果、シャッターカーテン２はロック板１５の上部に停止し、上位置にロックされたままとなる。
【００２６】
これに対し、図２（ｂ），図３（ｂ）に示すように、袖扉７の上縁が上枠１１の下縁に一致した状態に閉鎖されると、シャッターカーテンガイド１２のガイド溝１３に袖扉７のガイド溝７ａが一致するとともに、ロック解除板２１が、シャッターカーテンガイド１２の側面に当接する結果、作動板１７は支点ピン１６を介して下方に回動し、支持ピン１８が円弧状スリット１９に沿って移動し、ロック板１５は掛け外される結果、シャッターカーテン２は自重により下降して開口を閉じることになる。
袖扉７は、壁面の自閉器により開放状態での拘束が解除され、ヒンジの傾きによる自重閉鎖により閉鎖する構造とすることができる。袖扉７の閉鎖は、閉鎖指示スイッチ９の操作や火災感知・煙感知信号により、自動的に開始される。
【００２７】
なお、図２に示すシャッターカーテン２は、多数のスラット２２を、その上下にカール加工されたヒンジ部２２ａ，２２ｂを介して屈曲自在に連結したものであって、最下端のスラット２２は、各ガイド溝１３、７ａとは非干渉位置に配置される下部座板２ａ（図１参照）に連結している。
【００２８】
また、本第１実施形態では、シャッターカーテン２が一旦閉鎖された後、駆動機構５を再駆動してシャッターカーテン２を巻き上げて開放し、袖扉７も開扉位置に戻した後に、前記ロック板１５および作動板１７を再度図２（ａ），図３（ａ）に示す元位置に戻すには、メンテナンス作業者の手動操作によりリセットしてもよいし、例えばバネなどの弱い付勢手段を可動箇所に付加するなどして開状態で常時ロック板１５がロック位置に保たれる構成としてもよい。
【００２９】
図４（ａ），（ｂ）、図５は、本発明の第２実施形態を示している。なお、以下の説明からは、前記第１実施形態に共通する箇所には同一符号を用いて説明し、異なる箇所にのみ異なる符号を用いて説明する。図において、上枠１１のシャッターカーテンガイド１２近傍における外側部にはシャッターカーテン２の座板２ａの下面を支持する下降防止装置３０が固定されている。下降防止装置３０は、上枠１１の外側部にブラケット３１を介して固定されたケース３２と、一端３４ａをケース３２内に支点ピン３３を介して旋回可能に取り付けられ、かつ他端３４ｂがケース３２の側方に突出した略Ｌ形支持杆３４と、一端を作用軸３５を介して支持杆３４に連結し、かつ後端をケース３２に設けたガイドスリーブ３６を貫通して上枠１１の下部に突出する作動ピン３７と、一端をケース３２に、他端を連結ピン３８を介して支持杆３４に連結された引っ張りコイルバネよりなるバネ手段３９とを備えている。
【００３０】
支持杆３４は、略Ｌ形の折り曲げ形状をなし、そのケース３２からの突出他端３４ｂは座板２ａの下面に向けて延設され、バネ手段３９の引っ張りバネ圧により、図４（ａ），図５に示すように、袖扉７の開扉状態では、シャッターカーテン２の下降移動をその移動経路上に干渉して妨げるように配置された突出他端３４ｂの突出部で座板２ａを支持し、座板２ａおよびシャッターカーテン２の下降を規制している。
【００３１】
この状態から、袖扉７が閉鎖すると、シャッターカーテンガイド１２のガイド溝１３に袖扉７のガイド溝７ａが一致するとともに、図４（ｂ）に示すように、バネ圧に抗して袖扉７の外側面が作動ピン３７を押圧する結果、支持杆３４の旋回に伴って他端３４ｂは座板２ａから掛け外され、シャッターカーテン２は自重により座板２ａとともに下降する。
【００３２】
本第２実施形態では、シャッターカーテン２の閉鎖状態から再度開放され、かつ袖扉７が開扉位置に移動することにより、図４（ａ）、図５に示すごとく、支持杆３４は元の下降ロック位置に自動復帰する。また、ケース３２を固定するのみであるから、後付も容易である。座板２ａで障害物を感知する既知の安全装置が設けられれば、座板２ａが支持杆３４の他端３４ｂ側に当接することにより、座板２ａにおける当接感知に伴ってブレーキによりシャッターカーテン２の降下が停止し、又は、上昇する（巻取り駆動機構に電動モータが備えられ、かつ、電力供給が可能なとき等）ことにより、安全側に作動する。
【００３３】
図６（ａ），（ｂ）は、本発明の第３実施形態を示している。図において、前述のシャッターカーテンの巻取駆動機構５は、その内部構造の詳細は省略するが、シャッターカーテン巻き上げ時に使用可能な駆動部および巻き上げたシャッターカーテンを巻き上げ位置に保持するための負作動型（スプリングクローズ型）のブレーキを備えた開閉機４０と、開閉機４０のブレーキに連繋したブレーキレバー４１に離接可能に突出する作動部４２を突出させた自動閉鎖装置４３とを備えている。
【００３４】
上枠１１内の戸当り箇所には、圧縮コイルバネよりなるバネ手段４４のバネ圧により常時袖扉７側に突出付勢された作動ピン４５が配置され、この作動ピン４５には上枠１１の上部に突出する作動杆４６が一体化されている。作動杆４６には、リレーズワイヤよりなるフレキシブル連結体４７の一端が接続されており、この連結体４６は上枠１１上に固定されたワイヤガイドよりなるガイド４８を通じてその他端を自動閉鎖装置４３の動作端（図示略）に接続している。
【００３５】
従って、図６（ａ）に示す袖扉７が開放している状態から、図６（ｂ）に示すように、袖扉７が閉鎖された状態ではバネ圧に抗して作動ピン４５を没入させ、作動杆４６の移動により連結体４６が移動する結果、自動閉鎖装置４３内の動作端であるトリガーが外れ、作動部が飛び出す結果、ブレーキレバー４１を押して、ブレーキを解くことにより、シャッターカーテン２は自重により降下するものとなる。
【００３６】
本第３実施形態では、駆動機構５に設けたブレーキを解くことにより、シャッターカーテン２の下降動作を行わせるため、第１、第２実施形態に比べてロック解除機構にシャッターカーテン重量による負荷を掛けなくすることができる。
【００３７】
また、各実施形態では、いずれも機械的ロックとその解除機構によるものであるため、それぞれを単独の機構としてもよいし、あるいはこれらの機構の組合せでおこなってもよい。
【００３８】
次に図７ａ，ｂは、シャッターカーテン２のシール構造を示している。
図７ａに示すように、上枠（図略）の前部側には、紙面と直交方向にシャッターカーテン２の前面上部に略断面Ｌ字形のブラケット５１が設けられ、このブラケット５１の下部には、略断面コ形の横架材５２が設けられ、この横架材５２のコ形段部５２ａの内底部には、シャッターカーテン２上部の横長さ方向の全長に亘って先端部が弾圧する弾性およびシール性のあるＦＲＰ製のシール片５３の基部が固定されている。このシール片５３の基部の取付構造としては、図の一部に拡大して示すごとく、シール片５３の基部を段部５２ａとの間に挟み込む座板５４と、座板５４およびシール片５３を貫通して、段部５２ａにねじ込まれる取付ねじよりなる固定具５５とからなっている。
【００３９】
図７ｂの実施態様では、シール片５３の折り曲げ基部が、段部５２ａの垂直壁面にＬ形座板５４’を介して挟着されている。
【００４０】
これにより、シール片５３は、シャッターカーテン２の下降および上昇動作により、その方向に撓曲しつつシャッターカーテン２の表面に摺接することにより、煙や塵埃の侵入を防止する。
【００４１】
このシール片５３の取付構造は、従来ではその基部を二重折りするとともに、カシメ付けなどの永久固定方式であったため、交換が面倒であったが、本実施形態では、構造が簡単であり、かつ取付ねじよりなる固定具５５を取り外すだけで、シール片５３の交換ができるため、構造も簡単で、安価であり、メンテナンス製に富む利点がある。
【図面の簡単な説明】
【００４２】
【図１】本発明を適用したシャッター装置全体構成を示す正面図、側面図および平面図である
【図２】（ａ），（ｂ）は、本発明の第１実施形態によるシャッターカーテンロックとロック解除状態を示す要部正面図である。
【図３】（ａ），（ｂ）は、同シャッターカーテンロックとロック解除状態を示す要部斜視図である。
【図４】（ａ），（ｂ）は第２実施形態における同シャッターカーテンロックとロック解除状態を示す平面図である。
【図５】同ロック状態の斜視図である。
【図６】（ａ），（ｂ）は本発明の第３実施形態によるシャッターカーテンロックとロック解除状態を示す説明図である。
【図７】（ａ），（ｂ）はシャッターカーテン上部のシール構造を示す要部断面図である。
【符号の説明】
【００４３】
１  シャッター装置
２  シャッターカーテン、２ａ  座板
３  シャッターカーテン巻取用シャフト
４  支軸
５  駆動機構
６  ガイドレール
７  袖扉
７ａ  ガイド溝
８  子扉
９  手動開閉スイッチ
１０  中継器
１１  上枠
１２  シャッターカーテンガイド
１３  ガイド溝
１４，１６  支点ピン
１５  ロック板
１７  作動板、１７ａ  一端、１７ｂ  他端
１８  支持ピン
１９  円弧状スリット
２０  縦長状スリット
２１  ロック解除板
２２  スラット
２２ａ，２２ｂ  ヒンジ部
３０  下降防止装置
３１  ブラケット
３２  ケース
３３  支点軸
３４  支持杆、３４ａ  一端、３４ｂ  他端
３５  作用軸
３６  スリーブ
３７，４４  作動ピン
３８  連結ピン
３９  バネ手段
４０  開閉機
４１  ブレーキレバー
４２  作動部
４３  自動閉鎖装置
４４  バネ手段
４５  作動ピン
４６  作動杆
４７  連結体
４８  ガイド
【図１】
2010133169.tif 000003
【図２】
2010133169.tif 000004
【図３】
2010133169.tif 000005
【図４】
2010133169.tif 000006
【図５】
2010133169.tif 000007
【図６】
2010133169.tif 000008
【図７】
2010133169.tif 000009